(57)【要約】【課題】ＯＮ状態の時ＡＣＣカバーが開閉できない機能を持たせ内部付属装置の収納スペースを確保し、設計自由度の高い回路遮断器を提供する。【解決手段】可動接触子１３と固定接触子１２を備えた接点部と、接点部を収納する消弧室１５と、可動接触子１３を開閉する開閉機構部１６と、主回路の過電流を検出し可動接触子１３を開極させる過電流引き外し部１７とを備えた回路遮断器において、回転軸にカム部材２２を取付けたアクセサリカバー２０を備え、開閉機構部１６はラッチを形成した連通板２７を有し、アクセサリカバー２０を回転運動により開操作すると、カム部材２２が回転して連動板２７に当接してラッチを外す状態に移行し、可動接触子１３を開動作させ、強制的にトリップ状態へ移行する。【選択図】図２
2011023372.tif 000002
【特許請求の範囲】
【請求項１】
主回路を開閉するための可動接触子と固定接触子を備えた接点部と、前記接点部を収納する消弧室と、前記可動接触子を開閉するための開閉機構部と、主回路の過電流を検出し前記可動接触子を開極させる過電流引き外し部とを備えた回路遮断器において、
回転軸にカム部材を取付けたアクセサリカバーを備え、
前記開閉機構部はラッチを形成した連動板を有しており、
前記アクセサリカバーを回転運動により開操作すると、前記回転軸の回転に応じて前記カム部材が回転して前記開閉機構部の連動板に当接してラッチを外す状態を保持し、前記可動接触子を開動作させ、強制的にトリップ状態へ移行することを特徴とした回路遮断器。
【発明の詳細な説明】
【技術分野】
【０００１】
本発明は、回路遮断器に関し、特にユーザサイドでの内部付属装置着脱を安全に行え、かつ内部付属装置用収納スペースを大きく確保し、設計自由度を向上可能な回路遮断器に関する。
【背景技術】
【０００２】
近年、回路遮断器の主カバーを取り外ししなくても、アクセサリカバー（以下「ＡＣＣカバー」という）を開くことにより、内部付属装置の着脱を可能とした回路遮断器が増加してきている。これら回路遮断器は、ユーザサイドでの内部付属装置の装着を可能としたものであり、配電盤等に設置した状況でも、ユーザの緊急対応可能等のメリットがある。
【先行技術文献】
【特許文献】
【０００３】
【特許文献１】特開平１０−１８８７７０号公報
【特許文献２】特開平６−１１１７０４号公報
【発明の概要】
【発明が解決しようとする課題】
【０００４】
従来のＡＣＣカバーの構造では、回路遮断器の使用状態に関係なくＡＣＣカバーの開閉を行うことが可能であり、いかなる場面においても内部付属装置の装着を試みることが可能である。基本的に内部付属装置の着脱条件として、機器の破損、安全性の面より、トリップ状態時に行うことと規定しているが、現状では作業者の判断に依るところが大きい。
【０００５】
これら課題を解決するため、特許文献１にて、回路遮断器ＯＮ状態において、ハンドル部左右に追加した、ＡＣＣカバー止めねじを覆う形状により、回路遮断器ＯＮ状態におけるＡＣＣカバー止めねじを外すことを不可能とし、結果的にＡＣＣカバーを外せない構造が開示されている。本構造の問題点としては、ＡＣＣカバー止めねじ部を覆う形状を付加することにより、内部付属装置の収納スペースが減少し、内部付属装置の設計自由度及び機能（接点数、引き外しコイルスペースの減少によるコイル定格のワイドレンジ化）が低下する等の問題があった。
【課題を解決するための手段】
【０００６】
本発明は、上記課題を解決するために、下記（１）又は（２）の構造を付加する。
（１）回路遮断器ＯＮ状態にてＡＣＣカバーを開操作しようとした際、ＡＣＣカバーに付加した形状により、開閉機構の連動板を押し、開閉機構のラッチを外すことにより回路遮断器を強制的にトリップする機能を設ける。
（２）回路遮断器ＯＮ状態にてＡＣＣカバーを開操作しようとした際、ＡＣＣカバーとハンドルが干渉し、ＡＣＣカバーを開操作できない構造とする。
【０００７】
すなわち、本発明は、主回路を開閉するための可動接触子と固定接触子を備えた接点部と、前記接点部を収納する消弧室と、前記可動接触子を開閉するための開閉機構部と、主回路の過電流を検出し前記可動接触子を開極させる過電流引き外し部とを備えた回路遮断器において、回転軸にカム部材を取付けたアクセサリカバーを備え、
前記開閉機構部はラッチを形成した連動板を有しており、前記アクセサリカバーを回転運動により開操作すると、前記回転軸の回転に応じて前記カム部材が回転して前記開閉機構部の連動板に当接してラッチを外す状態を保持し、前記可動接触子を開動作させ、強制的にトリップ状態へ移行する回路遮断器である。
【発明の効果】
【０００８】
本発明により、内部付属装置の着脱の際、機器を破損すること、感電を防止しつつ、内部付属装置の収納スペースを大きく確保することが可能となり、内部付属装置の設計自由度の向上及び、機能向上の容易化を実現できる。
【図面の簡単な説明】
【０００９】
【図１】実施例１の回路遮断器の構造図。
【図２】実施例１の回路遮断器における動作原理図。
【図３】実施例１の回路遮断器における引き外し機能拡大図。
【図４】実施例２の回路遮断器のＡＣＣカバーとハンドルの係合図。
【発明を実施するための形態】
【００１０】
本発明を実施するための最良の形態を説明する。
本発明の回路遮断器の実施例について、図面を用いて説明する。
【実施例１】
【００１１】
実施例１を説明する。以下、本実施例について図１〜３を用いて説明する。図１は本実施例の回路遮断器の構造を示す図である。本実施例の回路遮断器は、固定接点台１１およびそこに接合された固定接点１２、それに対向する位置に配置された可動接点１３とそれを支持する可動接点台１４、電流を遮断した際に接点間から発生するアークを消弧する消弧装置１５、電流を開閉するために可動接点台１４を駆動する開閉機構１６、過電流が流れた際に開閉機構１６を駆動し、接点を開離させる引き外し装置１７より構成され、回路遮断器の本体カバー１９の表面に取り付けられたＡＣＣカバー２０がヒンジ部２１を中心として回転し開放され、本体カバー１９に設けられた凹部に内部付属装置を装着することができる。
【００１２】
本実施例の回路遮断器に内部付属装置を取り付けることにより、開閉機構１６の動作と連動して内部付属装置のレバーを操作し、内部にあるマイクロスイッチをＯＮ／ＯＦＦすることができ、電気信号が外部へ送信される構造を付加できる。
【００１３】
本実施例の回路遮断器の動作原理について、図２を用いて説明する。ＡＣＣカバー２０を方向２ａに回転、開放することにより、回転軸に設けたカム部材２２と、ラッチを形成する連動板２７が当接し、方向２ｂに回転させた状態にしてラッチを解放し、回路遮断器をトリップ状態とする。
【００１４】
本構造により、内部付属装置の収納スペースを減少することなく、内部付属装置の取り付け時や、回路遮断器の保守・点検を行う際、作業者を感電などの災害から防護し作業の安全性を向上させることができる。図３（ａ）（ｂ）に引き外し装置拡大図を示す。カム部材２２は、連動板２７を当接した状態を維持するため、トリップ状態が維持される。
【実施例２】
【００１５】
実施例２を説明する。本実施例の回路遮断器について、図４を用いて説明する。本実施例は、回路遮断器がＯＮ状態時、接点を開閉操作するためのハンドル１８と、ＡＣＣカバー２０が４ａのポイントで接触することで、ＡＣＣカバー２０の開操作を不可としたものである。本構造により、通電時にＡＣＣカバー２０を開操作しても、開操作できないため、誤って感電にあう危険性を排除することができる。
【００１６】
以上説明したように、本発明の実施例によれば、内部付属装置をユーザサイドで着脱可能とした使い勝手のよい回路遮断器を提供しつつ、感電、製品破損等の可能性を低減した回路遮断器とすることができる。
【符号の説明】
【００１７】
１１  固定接点台
１２  固定接点
１３  可動接点
１４  可動接点台
１５  消弧装置
１６  開閉機構
１７  引き外し装置
１８  ハンドル
１９  カバー
２０  ＡＣＣカバー
２１  ヒンジ部
２２  カム部材
２７  連動板
２ａ  ＡＣＣカバーの開口方向
２ｂ  ＡＣＣカバー軸回動方向
２ｃ  引き外し装置の動作方向
２ｄ  開極方向の力
４ａ  ＡＣＣカバーとハンドルの係合点
【図１】
2011023372.tif 000003
【図２】
2011023372.tif 000004
【図３】
2011023372.tif 000005
【図４】
2011023372.tif 000006